(57)【要約】  洗浄器具の洗浄具本体は、挿入部の先端構成部にカバーに代えて装着され、前記洗浄具本体が前記先端構成部に装着された状態では、前記先端構成部が前記洗浄具本体の内部に収納される。前記先端構成部への前記洗浄具本体の装着では、流体が供給される所定の位置に前記先端構成部が前記洗浄具本体に対して位置決めされる。前記カバーが装着された前記先端構成部が前記洗浄具本体に挿入されると、規制部が、前記カバーと干渉し、前記カバーが装着された前記先端構成部の、前記所定の位置への移動を規制する。
2018037727.tif 000002
【特許請求の範囲】
【請求項１】
内視鏡の挿入部の先端構成部にカバーに代えて装着され、前記先端構成部に装着された状態において前記先端構成部を内部に収納する洗浄具本体と、
前記洗浄具本体の前記内部に流体を供給する供給部と、
前記先端構成部への前記洗浄具本体の装着において、前記流体が供給される所定の位置に前記先端構成部を前記洗浄具本体に対して位置決めする位置決め部と、
前記カバーが装着された前記先端構成部が前記洗浄具本体に挿入されるとき、前記カバーと干渉し、前記カバーが装着された前記先端構成部の、前記所定の位置への移動を規制する規制部と、
を具備する洗浄器具。
【請求項２】
前記位置決め部は、前記カバーが前記先端構成部に装着された状態において前記カバーと係合する内視鏡係合部に対して係合する器具係合部を備える、請求項１の洗浄器具。
【請求項３】
前記位置決め部は、前記挿入部の長手軸に沿う方向及び前記長手軸を中心とする軸回り方向の少なくとも一方について、前記洗浄具本体を前記先端構成部に対して位置決めする、請求項１の洗浄器具。
【請求項４】
前記位置決め部は、前記洗浄具本体の前記内部において内周側へ突出するとともに、前記先端構成部が係合することにより、前記洗浄具本体の前記先端構成部に対する前記長手軸を中心とする前記軸回り方向についての回転を規制する突起を備える、請求項３の洗浄器具。
【請求項５】
前記位置決め部の少なくとも一部は、前記規制部となる、請求項１の洗浄器具。
【請求項６】
請求項１の洗浄器具と、
前記挿入部を備えるとともに、前記挿入部は前記先端構成部を備え、前記先端構成部には前記カバーに代えて前記洗浄器具の前記洗浄具本体が装着される前記内視鏡と、
を具備する内視鏡システム。
【請求項７】
前記洗浄具本体が前記先端構成部から取外された状態において前記先端構成部に取付けられる前記カバーをさらに具備する、請求項６の内視鏡システム。
【請求項８】
前記先端構成部は、前記カバーが前記先端構成部に装着された状態において前記カバーと係合する内視鏡係合部を備え、
前記位置決め部は、前記内視鏡係合部に対して係合する器具係合部を備える、
請求項７の内視鏡システム。
【請求項９】
前記カバーは、前記洗浄具本体の前記位置決め部の前記器具係合部の代わりに前記内視鏡係合部に係合するカバー係合部を備える、請求項８の内視鏡システム。
【請求項１０】
前記先端構成部は、所定の回動軸を中心として回動することにより起上するとともに、起上に対応して、前記挿入部の内部に挿通された状態で前記挿入部の外部へ突出する処置具の向きを変化させる揺動台を備え、
前記揺動台は、前記処置具に接触する第１の面と、前記第１の面とは反対側を向く第２の面と、を備え、
前記供給部は、前記供給部から前記洗浄具本体の前記内部に前記流体を流入させるとともに、前記洗浄具本体の前記内部において前記所定の位置に位置する前記先端構成部に前記流体を供給する複数の流入口を有し、
前記複数の流入口の少なくとも１つは、前記所定の位置に位置する前記先端構成部において、前記揺動台の前記第２の面に前記流体を供給する、
請求項６の内視鏡システム。
【発明の詳細な説明】
【技術分野】
【０００１】
本発明は、内視鏡の挿入部の先端構成部を洗浄する洗浄器具、及び、その洗浄器具及び内視鏡を備える内視鏡システムに関する。
【背景技術】
【０００２】
日本国特開平８−２５２２１１号公報には、内視鏡の挿入部の先端構成部に対してカバーが取外し可能に装着される構成が開示されている。この内視鏡の先端構成部を洗浄する際には、カップに洗浄液及び水等の液体を充填する。そして、先端構成部からカバーを取外し、カップに充填された液体に先端構成部を浸した状態で、先端構成部を洗浄する。【０００３】
日本国特開平８−２５２２１１号の構成では、先端構成部からカバーを取外すのを忘れて、先端構成部にカバーが装着された状態のままで、先端構成部の洗浄が行われる可能性がある。この場合、カバーを取外した状態での先端構成部の洗浄、すなわち取扱い説明書通りの正しい洗浄作業が、行われない。
【発明の概要】
【０００４】
本発明が目的とするところは、取外し可能なカバーが先端構成部に装着された状態で先端構成部の洗浄が行われることが確実に防止され、容易かつ確実に先端構成部が洗浄される洗浄器具を提供することにある。また、その洗浄器具を備える内視鏡システムを提供することにある。
【０００５】
前記目的を達成するために、本発明のある態様の洗浄器具は、内視鏡の挿入部の先端構成部にカバーに代えて装着され、前記先端構成部に装着された状態において前記先端構成部を内部に収納する洗浄具本体と、前記洗浄具本体の前記内部に流体を供給する供給部と、前記先端構成部への前記洗浄具本体の装着において、前記流体が供給される所定の位置に前記先端構成部を前記洗浄具本体に対して位置決めする位置決め部と、前記カバーが装着された前記先端構成部が前記洗浄具本体に挿入されるとき、前記カバーと干渉し、前記カバーが装着された前記先端構成部の、前記所定の位置への移動を規制する規制部と、を備える。
【図面の簡単な説明】
【０００６】
【図１】図１は、第１の実施形態に係る内視鏡システムを示す概略図である。
【図２】図２は、第１の実施形態に係る先端構成部にカバーが装着された状態を、第１の交差方向に略垂直な断面で概略的に示す断面図である。
【図３Ａ】図３Ａは、第１の実施形態に係る先端構成部を、第１の交差方向の一方側から視た概略図である。
【図３Ｂ】図３Ｂは、第１の実施形態に係る先端構成部を、第２の交差方向の一方側から視た概略図である。
【図３Ｃ】図３Ｃは、第１の実施形態に係る先端構成部を、第２の交差方向の他方側から視た概略図である。
【図３Ｄ】図３Ｄは、第１の実施形態に係る先端構成部を、先端側から視た概略図である。
【図４Ａ】図４Ａは、第１の実施形態に係る先端構成部に装着されるカバーを、開口孔が外部へ開口する側から視た概略図である。
【図４Ｂ】図４Ｂは、第１の実施形態に係るカバーを、中心軸に対してガイド突起が位置する側から視た概略図である。
【図４Ｃ】図４Ｃは、第１の実施形態に係るカバーを、中心軸に対して係止孔が位置する側から視た概略図である。
【図５Ａ】図５Ａは、第１の実施形態に係る洗浄器具の洗浄具本体を、中心軸に略平行で、かつ、口金を通る断面で概略的に示す断面図である。
【図５Ｂ】図５Ｂは、第１の実施形態に係る洗浄具本体を挿入口側から視た概略図である。
【図６】図６は、第１の実施形態に係る洗浄器具を用いて先端構成部を洗浄している状態を示す概略図である。
【図７Ａ】図７Ａは、第１の実施形態に係る先端構成部に洗浄具本体を装着した状態を、第２の交差方向に略垂直な断面で概略的に示す断面図である。
【図７Ｂ】図７Ｂは、図７Ａの位置Ｚ１−Ｚ１での中心軸に略垂直な断面を概略的に示す断面図である。
【図８】図８は、第１の実施形態に係る洗浄具本体の収納部において所定の位置に位置する先端構成部に洗浄液が供給されている状態を、第２の交差方向に略垂直な断面で概略的に示す断面図である。
【図９Ａ】図９Ａは、第１の実施形態に係るカバーが装着された先端構成部を洗浄具本体の収納部に挿入した状態を、第２の交差方向に略垂直な断面で概略的に示す断面図である。
【図９Ｂ】図９Ｂは、第１の実施形態に係るカバーが装着された先端構成部を洗浄具本体の収納部に挿入した状態を、先端構成部及びカバーを通る長手軸に略垂直な断面で概略的に示す断面図である。
【図１０Ａ】図１０Ａは、第１の変形例に係る先端構成部を、第２の交差方向の一方側から視た概略図である。
【図１０Ｂ】図１０Ｂは、第１の変形例に係る洗浄具本体が先端構成部に装着された状態を、先端構成部の先端に対して開口窓側の位置での長手軸に略垂直な断面で概略的に示す断面図である。
【図１１Ａ】図１１Ａは、第２の変形例に係る洗浄具本体を、中心軸に略平行で、かつ、口金を通る断面で概略的に示す断面図である。
【図１１Ｂ】図１１Ｂは、第２の変形例に係る洗浄具本体を、挿入口側から視た概略図である。
【図１２Ａ】図１２Ａは、第２の変形例に係る先端構成部に洗浄具本体を装着した状態を、第２の交差方向に略垂直な断面で概略的に示す断面図である。
【図１２Ｂ】図１２Ｂは、第２の変形例に係る先端構成部に洗浄具本体を装着した状態を、先端構成部を通る長手軸に略垂直な断面で概略的に示す断面図である。
【図１３Ａ】図１３Ａは、第２の変形例に係るカバーが装着された先端構成部を洗浄具本体の収納部に挿入した状態を、第２の交差方向に略垂直な断面で概略的に示す断面図である。
【図１３Ｂ】図１３Ｂは、第２の変形例に係るカバーが装着された先端構成部を洗浄具本体の収納部に挿入した状態を、先端構成部及びカバーを通る長手軸に略垂直な断面で概略的に示す断面図である。
【図１４Ａ】図１４Ａは、第３の変形例に係る洗浄具本体を、中心軸に略平行で、かつ、口金を通る断面で概略的に示す断面図である。
【図１４Ｂ】図１４Ｂは、第３の変形例に係る洗浄具本体を挿入口側から視た概略図である。
【図１５Ａ】図１５Ａは、第３の変形例に係る先端構成部に洗浄具本体を装着した状態を、第２の交差方向に略垂直な断面で概略的に示す断面図である。
【図１５Ｂ】図１５Ｂは、第３の変形例に係る先端構成部に洗浄具本体を装着した状態を、先端構成部を通る長手軸に略垂直な断面で概略的に示す断面図である。
【図１６Ａ】図１６Ａは、第３の変形例に係るカバーが装着された先端構成部を洗浄具本体の収納部に挿入した状態を、第２の交差方向に略垂直な断面で概略的に示す断面図である。
【図１６Ｂ】図１６Ｂは、第３の変形例に係るカバーが装着された先端構成部を洗浄具本体の収納部に挿入した状態を、先端構成部及びカバーを通る長手軸に略垂直な断面で概略的に示す断面図である。
【図１７Ａ】図１７Ａは、第４の変形例に係る先端構成部に洗浄具本体を装着した状態を、第２の交差方向に略垂直な断面で概略的に示す断面図である。
【図１７Ｂ】図１７Ｂは、図１７Ａの位置Ｚ２−Ｚ２での長手軸に略垂直な断面を概略的に示す断面図である。
【図１８Ａ】図１８Ａは、第５の変形例に係る洗浄具本体を、中心軸に対して開口窓が位置する側から視た概略図である。
【図１８Ｂ】図１８Ｂは、第５の変形例に係る先端構成部に洗浄具本体を装着した状態を、第１の交差方向に略垂直な断面で概略的に示す断面図である。
【図１９Ａ】図１９Ａは、第６の変形例に係る洗浄具本体を、中心軸に略平行な断面で概略的に示す断面図である。
【図１９Ｂ】図１９Ｂは、第６の変形例に係る洗浄具本体において回動片の間が閉じた状態を、挿入口側から視た概略図である。
【図２０】図２０は、第６の変形例に係る洗浄具本体において回動片の間が開いた状態を、挿入口側から視た概略図である。
【図２１】図２１は、第７の変形例に係る洗浄器具を示す概略図である。
【図２２Ａ】図２２Ａは、第８の変形例に係る洗浄器具を示す概略図である。
【図２２Ｂ】図２２Ｂは、第８の変形例に係る洗浄器具に設けられる治具を用いて先端構成部からカバーを取外す方法を説明する概略図である。
【発明を実施するための形態】
【０００７】
（第１の実施形態）  
本発明の第１の実施形態について図１乃至図９Ｂを参照して説明する。
【０００８】
図１は、本実施形態の内視鏡システム１を示す図である。図１に示すように、内視鏡システム１は、洗浄器具２を備える。洗浄器具２は、洗浄具本体１０と、供給部１１と、を備える。洗浄具本体１０の内部には、洗浄対象を収納する空洞である収納部１２が形成され、洗浄具本体１０は中空形状に形成される。供給部１１は、洗浄具本体１０の内部の収納部１２に、洗浄液等の流体を供給する。なお、洗浄具本体１０を形成する材料としては、これらに限定されないが、ポリカーボネート、変性ＰＰＥ樹脂、ガラスを含有するポリサルフォン、ポリフェニルスルフォン及びステンレス等が挙げられる。
【０００９】
洗浄具本体１０の外周部には、口金１３Ａ，１３Ｂが設けられる。供給部１１は、供給チューブ１５Ａ，１５Ｂ、分岐管１６Ａ，１６Ｂ、吸引チューブ１７Ａ，１７Ｂ及びシリンジ１８Ａ，１８Ｂを備える。分岐管１６Ａは、流出端Ｅ１Ａ、流入端Ｅ２Ａ及びシリンジ接続端Ｅ３Ａを有し、分岐管１６Ｂは、流出端Ｅ１Ｂ、流入端Ｅ２Ｂ及びシリンジ接続端Ｅ３Ｂを有する。供給チューブ１５Ａの一端は、口金１３Ａに接続され、供給チューブ１５Ａの他端は、分岐管１６Ａの流出端Ｅ１Ａに接続される。同様に、供給チューブ１５Ｂの一端は、口金１３Ｂに接続され、供給チューブ１５Ｂの他端は、分岐管１６Ｂの流出端Ｅ１Ｂに接続される。また、吸引チューブ１７Ａの一端は、分岐管１６Ａの流入端Ｅ２Ａに接続され、吸引チューブ１７Ｂの一端は、分岐管１６Ｂの流入端Ｅ２Ｂに接続される。吸引チューブ１７Ａの他端には、吸引口ＶＡが形成され、吸引チューブ１７Ｂの他端には、吸引口ＶＢが形成される。そして、シリンジ１８Ａは、分岐管１６Ａのシリンジ接続端Ｅ３Ａに取付けられ、シリンジ１８Ｂは、分岐管１６Ｂのシリンジ接続端Ｅ３Ｂに取付けられる。
【００１０】
吸引口ＶＡが洗浄液等の液体に浸った状態においてシリンジ１８Ａが作動されることにより、流体である液体が吸引口ＶＡから、吸引チューブ１７Ａ、分岐管１６Ａ及び供給チューブ１５Ａを順に通って、洗浄具本体１０の収納部１２に流入する。同様に、吸引口ＶＢが洗浄液等の液体に浸った状態においてシリンジ１８Ｂが作動されることにより、流体である液体が吸引口ＶＢから、吸引チューブ１７Ｂ、分岐管１６Ｂ及び供給チューブ１５Ｂを順に通って、洗浄具本体１０の収納部１２に流入する。これにより、収納部１２に洗浄液等の流体が供給される。
【００１１】
内視鏡システム１は、挿入機器である内視鏡３を備える。内視鏡３は、管腔などの管路に挿入される細長い挿入部２０を備える。挿入部２０は、中心軸として規定される長手軸Ｃに沿って延設される。ここで、長手軸Ｃに沿う方向の一方側を先端側（矢印Ｃ１側）とし、先端側とは反対側を基端側（矢印Ｃ２側）とする。内視鏡３は、挿入部２０に対して基端側に設けられる操作部２１を備える。挿入部２０の基端は、操作部２１に接続され、操作部２１は、使用者によって保持可能である。操作部２１には、ユニバーサルコード２２の一端が接続される。内視鏡３は、図示しない周辺装置と一緒に用いられる。ユニバーサルコード２２の他端は、周辺装置の１つに接続される。なお、周辺装置としては、画像処理装置、表示装置、光源装置、送気源装置、送液源装置及び吸引源装置等がある。
【００１２】
挿入部２０は、先端構成部２３と、先端構成部２３の基端側に連結される湾曲部２５と、湾曲部２５の基端側に連結される管状部２７と、を備える。先端構成部２３は、挿入部２０の先端部に設けられ、先端構成部２３によって、挿入部２０の先端が形成される。なお、ある実施例では、管状部２７は、可撓性を有し、内視鏡３は、いわゆる軟性鏡である。また、別のある実施例では、管状部２７は、硬質であり、内視鏡３は、いわゆる硬性鏡である。湾曲部２５は、例えば、操作部２１のノブ２８で操作が行われることにより、湾曲する。この場合、ノブ２８の操作に基づいて公知の湾曲機構が作動されることにより、湾曲部２５が湾曲する。また、ある実施例では、湾曲部２５が設けられず、管状部２７の先端が先端構成部２３に接続されてもよい。
【００１３】
内視鏡システム１は、カバー５を備える。カバー５は、先端構成部２３に取外し可能に装着される。内視鏡３を用いて管路を観察している状態等の内視鏡３の使用時には、カバー５は、先端構成部２３に装着される。ある実施例では、内視鏡３の１回の使用ごとに、カバー５が交換される。この場合、例えば、内視鏡３の使用後に所定の治具を用いて又は手でカバー５の一部を破壊し、カバー５を先端構成部２３から取外す。そして、取外されたカバー５は、廃棄される。また、別のある実施例では、内視鏡３の使用後において、カバー５を破壊することなくカバー５を先端構成部２３から取外し、取外されたカバー５を洗浄及び滅菌する。そして、次回に内視鏡３を使用する前にカバー５を先端構成部２３に再び装着し、カバー５を再利用する。ただし、いずれの場合も、先端構成部２３に装着されたカバー５は、内視鏡３の使用時に先端構成部２３から容易に取外されることがない構成となる。
【００１４】
洗浄具本体１０は、先端構成部２３からカバー５が取外された状態で、先端構成部２３に装着される。すなわち、洗浄具本体１０は、カバー５に代えて先端構成部２３に装着される。先端構成部２３に洗浄具本体１０が装着された状態では、先端構成部２３は、洗浄具本体１０の内部の収納部１２に収納される。
【００１５】
図２は、先端構成部２３にカバー５が装着された状態を示す図である。また、図３Ａ乃至図３Ｄは、カバー５及び洗浄具本体１０のいずれもが先端構成部２３に装着されていない状態での、先端構成部２３を示す図である。ここで、長手軸Ｃに対して交差する第１の交差方向（矢印Ｘ１及び矢印Ｘ２で示す方向）を規定するとともに、長手軸Ｃに対して交差し、かつ、第１の交差方向に対して交差する第２の交差方向（矢印Ｙ１及び矢印Ｙ２で示す方向）を規定する。図２は、第１の交差方向に略垂直な断面を示し、図３Ａは、第１の交差方向の一方側（矢印Ｘ１側）から先端構成部２３を視た図である。図３Ｂは、第２の交差方向の一方側（矢印Ｙ１側）から先端構成部２３を視た図であり、図３Ｃは、第２の交差方向の他方側（矢印Ｙ２側）から先端構成部２３を視た図である。そして、図３Ｄは、先端側（矢印Ｃ１側）から先端構成部２３を視た図である。なお、第１の交差方向として長手軸Ｃに対して交差する方向、及び、第２の交差方向として長手軸Ｃ及び第１の交差方向に対して交差する方向は、それぞれ例えば略垂直方向が考えられる。
【００１６】
図２乃至図３Ｄに示すように、先端構成部２３は、ブロック状の先端部本体３０を備える。先端部本体３０は、硬質材から形成される。先端部本体３０を形成する硬質材としては、これに限定されるものではないが、例えばステンレス鋼材が挙げられる。先端部本体３０は、例えば湾曲部２５の先端側に連結される。また、先端部本体３０の中心軸は、長手軸Ｃと略同軸となる。先端部本体３０は、壁部３１を備え、壁部３１は、平面部３１Ａを備える。平面部３１Ａは、先端部本体３０の外周面の一部を形成し、第１の交差方向の一方側（矢印Ｘ１側）を向く。そして、平面部３１Ａは、壁部３１において、第１の交差方向の一方側（矢印Ｘ１側）の端面を形成する。また、壁部３１は、先端部本体３０において、第２の交差方向の一方側（矢印Ｙ１側）の端を形成する。
【００１７】
平面部３１Ａでは、観察窓３２Ａ及び照明窓３２Ｂが先端部本体３０の壁部３１に固定される。先端部本体３０の内部には、ＣＣＤ等の撮像素子（図示しない）が内蔵される。撮像素子は、観察窓３２Ａを通して被写体を撮像する。そして、挿入部２０の内部、操作部２１の内部及びユニバーサルコード２２の内部を通って延設される撮像ケーブル（図示しない）を介して、撮像素子から前述の画像処理装置へ撮像信号が伝達される。これにより、画像処理装置で被写体の画像が生成され、生成された画像が前述の表示装置に表示される。また、内視鏡３では、ライトガイド（図示しない）が、挿入部２０の内部、操作部２１の内部及びユニバーサルコード２２の内部を通って、延設される。前述の光源装置から出射された光は、ライトガイドを介して導光される。そして、照明窓３２Ｂを通して被写体に照射される。なお、本実施形態では、照明窓３２Ｂは、観察窓３２Ａに対して先端側に位置する。また、本実施形態では、第１の交差方向の一方側（矢印Ｘ１側）が、撮像素子の観察方向となる。したがって、内視鏡３は、挿入部２０の長手軸Ｃに対して交差する方向が撮像素子の観察方向となる側視型又は斜視型として、形成される。また、本実施形態では、観察窓３２Ａ及び照明窓３２Ｂは、長手軸Ｃに対して第２の交差方向の一方側（矢印Ｙ１側）に位置する。
【００１８】
また、先端部本体３０には、ノズル３３が固定される。本実施形態では、ノズル３３の噴出口３５は、観察窓３２Ａ及び照明窓３２Ｂに対して、基端側で、かつ、第１の交差方向の一方側（矢印Ｘ１側）に、位置する。また、噴出口３５は、第２の交差方向について長手軸Ｃに対して観察窓３２Ａが位置する側（矢印Ｙ１側）に位置する。ノズル３３には、供給チューブ３６の先端が接続される。ノズル３３には、前述の送気源装置から供給チューブ３６を通して空気等の気体が供給される。また、ノズル３３には、前述の送液源装置から供給チューブ３６を通して生理食塩水等の液体が供給される。ノズル３３は、観察窓３２Ａ及び照明窓３２Ｂが配置される平面部３１Ａに向かって、供給された液体及び／又は気体を噴出口３５から先端側へ噴出する。
【００１９】
先端構成部２３では、先端部本体３０によって、空洞３７が形成される。空洞３７は、第２の交差方向について壁部３１に隣設される。また、空洞３７は、第２の交差方向について長手軸Ｃ対して観察窓３２Ａとは反対側（矢印Ｙ２側）に位置する。空洞３７は、先端側、第１の交差方向の一方側（矢印Ｘ１側）及び第１の交差方向の他方側（矢印Ｘ２側）に向かって開口する。また、先端部本体３０は、壁部３８を備え、壁部３８は、平面部３８Ａを備える。平面部３８Ａは、先端部本体３０の外周面の一部を形成し、第１の交差方向の一方側（矢印Ｘ１側）である撮像素子の観察方向を向く。また、平面部３８Ａは、第２の交差方向について長手軸Ｃに対して観察窓３２Ａ（平面部３１Ａ）とは反対側（矢印Ｙ２側）に位置する。壁部３８は、空洞３７によって第２の交差方向について壁部３１から離間する。また、本実施形態では、第１の交差方向について、平面部３８Ａは、平面部３１Ａに対して撮像素子の観察方向とは反対側（矢印Ｘ２側）に位置する。ただし、第１の交差方向について平面部３８Ａの位置は限定されるものではなく、平面部３８Ａは、平面部３１Ａに対して撮像素子の観察方向と同一の側（矢印Ｘ１側）に延設されてもよい。
【００２０】
また、図１に示すように、挿入部２０の内部には、チャンネル４０が基端側から先端側へ延設される。チャンネル４０は、例えばチャンネルチューブ（図示しない）の内部及び先端部本体３０の内部を通って延設される。チャンネル４０の先端は、先端構成部２３において空洞３７と連通する。また、チャンネル４０の基端は、操作部２１の先端側部位において、内視鏡３の外部に対して開口する。チャンネル４０の基端の開口には、鉗子栓４１が取付けられる。また、チャンネル４０の基端の開口からは、チャンネル４０に、処置具（図示しない）が挿入される。そして、チャンネル４０に挿通された処置具は、先端構成部２３の空洞３７から挿入部２０の外部へ突出する。すなわち、処置具は、挿入部２０の内部に挿通された状態で、空洞３７から挿入部２０の外部に突出する。また、操作部２１の内部では、吸引路４２がチャンネル４０から分岐される。吸引路４２は、操作部２１の吸引切換え弁（図示しない）を通ってユニバーサルコード２２に延設され、吸引切換え弁において内視鏡３の外部に対して開口する。前述の吸引装置は、先端構成部２３の空洞３７からチャンネル４０及び吸引路４２を通して、吸引物を吸引する。
【００２１】
図２乃至図３Ｄに示すように、先端構成部２３の空洞３７には、揺動台（起上台）４３が配置される。空洞３７では、第２の交差方向について壁部３１，３８の間に揺動台４３が配置される。揺動台４３には、支持シャフト４５が固定される。また、先端部本体３０には、支持シャフト４５が係合するシャフト受け４６が、形成される。支持シャフト４５は、第２の交差方向について両側へ揺動台４３から突出し、シャフト受け４６は、支持シャフト４５の揺動台４３からの突出部分が挿入される溝又は孔である。シャフト受け４６に支持シャフト４５が係合することにより、揺動台４３が先端部本体３０に、取付けられる。揺動台４３は、支持シャフト４５の中心軸を中心として、先端部本体３０に対して回動可能である。すなわち、揺動台４３は、支持シャフト４５の中心軸を所定の回動軸として回動する。本実施形態では、支持シャフト４５の中心軸は、第２の交差方向に対して略平行である。また、先端部本体３０の外周面では、シャフト受け４６が、撮像素子の観察方向とは反対側（矢印Ｘ２側）に向かって開口する。このため、カバー５が先端構成部２３に装着されていない状態では、支持シャフト４５は、挿入部２０の外部に露出する。また、シャフト受け４６が開口するため、カバー５が先端構成部２３に装着されていない状態では、シャフト受け４６において、揺動台４３及び支持シャフト４５は、支持シャフト４５の中心軸に交差する方向について、先端部本体３０に対して微動可能であり、先端部本体３０に対してがたつく。なお、揺動台４３及び支持シャフト４５の先端部本体３０に対する微動距離は、支持シャフト４５の径の４分の１以上であることが好ましい。
【００２２】
また、挿入部２０の内部には、基端側から先端側へ向かってワイヤ４７が延設される。ワイヤ４７の先端は、先端構成部２３の空洞３７において、揺動台４３に接続される。ワイヤ４７の基端は、操作部２１に設けられるレバー４８（図１参照）に連結される。レバー４８での操作に基づいて、ワイヤ４７は、基端側又は先端側へ移動する。これにより、前述のように揺動台４３が先端部本体３０に対して回動し、揺動台４３は、空洞３７において起上動作又は倒置動作を行う。
【００２３】
揺動台４３は、第１の交差方向の一方側（矢印Ｘ１側）である撮像素子の観察方向を向く第１の面５１と、第１の面５１とは反対側を向く第２の面５２と、を備える。前述したチャンネル４０に挿通された処置具（図示しない）は、空洞３７において、揺動台４３の第１の面５１に接触する。また、処置具は、空洞３７から撮像素子の観察方向に向かって、挿入部２０の外部へ突出する。揺動台４３が起上又は倒置することにより、挿入部２０の外部へ突出する処置具の向きが変化する。これにより、処置具において挿入部２０の外部への突出部分が撮像素子の視野内になる状態に、処置具の向きが調整可能となる。
【００２４】
また、先端部本体３０の外周面には、曲面部５３が形成される。曲面部５３は、長手軸Ｃに略垂直な断面において長手軸Ｃを略中心とする半径Ｒ０の円弧状に形成される。曲面部５３は、壁部３１，３８の間に連続する。このため、先端部本体３０の外周面では、第２の交差方向の一方側（矢印Ｙ１側）を向く部位から第２の交差方向の他方側（矢印Ｙ２側）を向く部位に渡って、曲面部５３が延設される。また、先端部本体３０の外周面では、壁部３１，３８の間において、撮像素子の観察方向とは反対側（矢印Ｘ２側）を向く部位を通って、曲面部５３が延設される。
【００２５】
先端部本体３０の曲面部５３には、ガイド溝５５が設けられる。ガイド溝５５は、内周側へ向かって凹み、基端側から先端側へ向かって延設される。ガイド溝５５は、第２の交差方向について長手軸Ｃに対して観察窓３２Ａ（平面部３１Ａ）が位置する側（矢印Ｙ１側）に、位置する。ガイド溝５５は、長手軸Ｃに沿う方向について、先端部本体３０の先端面から基端部に渡って延設される。また、ガイド溝５５は、長手軸Ｃの軸回りについて、平面部３１Ａから略９０°離れた角度位置に、設けられる。
【００２６】
また、先端部本体３０の曲面部５３には、係止ピン５７が固定される。曲面部５３では、係止ピン５７は、外周側へ突出する。係止ピン５７は、第２の交差方向について長手軸Ｃに対して観察窓３２Ａ及びガイド溝５５とは反対側（矢印Ｙ２側）に、位置する。また、係止ピン５７は、長手軸Ｃの軸回りについて、平面部３１Ａから略９０°離れた角度位置で、かつ、ガイド溝５５から略１８０°離れた角度位置に、設けられる。
【００２７】
図４Ａ乃至図４Ｃは、先端構成部２３に装着されるカバー５の構成を示す図である。図４Ａ乃至図４Ｃでは、カバー５を部材ごとに分解した状態で示す。図２及び図４Ａ乃至図４Ｃに示すように、カバー５は、中心軸Ｓを有する。カバー５は、中心軸Ｓが挿入部２０の長手軸Ｃと略同軸になる状態で、先端構成部２３に装着される。本実施形態では、カバー５は、カバー本体６０と、カバー本体６０の基端側に固定されるリング部材６１と、の２つの部材から形成される。カバー本体６０及びリング部材６１は、電気的に絶縁性を有することが好ましい。カバー本体６０は、プラスチックから形成されることが好ましい。カバー本体６０を形成するプラスチックとしては、これらに限定されないが、ポリサルフォン、ポリエチレン及びポリカーボネート等が挙げられる。また、リング部材６１は、ゴムから形成されることが好ましい。リング部材６１を形成するゴムとしては、これらに限定されないが、シリコーンゴム及びフッ素ゴム等が挙げられる。なお、ある実施例では、カバー５は、前述のように二体で構成されていなくても、プラスチック又はゴムの一体でもよい。
【００２８】
カバー本体６０は先端壁６２及び周壁６３を有し、周壁６３には、カバー本体６０の内部と外部とを連通させる開口孔６５が形成される。開口孔６５によって、カバー５の内部は、中心軸Ｓに対して交差する方向へ開口する。図４Ａは、開口孔６５が外部へ開口する側からカバー５を視た図である。カバー５が先端構成部２３に装着された状態では、開口孔６５は、長手軸Ｃに対して撮像素子の観察方向側（矢印Ｘ１側）に位置する。すなわち、カバー５が先端構成部２３に装着された状態では、開口孔６５が外部へ開口する側が撮像素子の観察方向と略一致する。このため、カバー５が先端構成部２３に装着された状態では、観察窓３２Ａ及び照明窓３２Ｂを含む平面部３１Ａ、空洞３７、平面部３８Ａ及び揺動台４３が、開口孔６５を介して、カバー５の外部に露出する。また、チャンネル４０に挿通された処置具は、空洞３７から開口孔６５を通って、カバー５の外部へ突出する。
【００２９】
カバー本体６０の外周面の基端部には、内周側へ凹む係合溝６７が形成される。また、カバー本体６０の外周面では、係合溝６７の基端側に、フランジ部６８が隣設される。フランジ部６８は、係合溝６７に対して外周側に突出し、カバー本体６０の基端を形成する。係合溝６７及びフランジ部６８は、中心軸Ｓの軸回りについて全周に渡って、形成される。また、係合溝６７及びフランジ部６８は、開口孔６５に対して基端側（矢印Ｃ２側）に位置する。
【００３０】
リング部材６１の内周面には、内周側に突出する係合突起７１が設けられる。係合突起７１によって、リング部材６１の先端が形成される。また、リング部材６１の内周面では、係合突起７１の基端側に、フランジ係合溝７２が隣設される。フランジ係合溝７２は、リング部材６１の内周面において、外周側へ凹む。係合突起７１が係合溝６７と係合し、かつ、フランジ係合溝７２がフランジ部６８と係合することにより、リング部材６１がカバー本体６０に固定される。この際、係合突起７１の係合溝６７への係合及びフランジ係合溝７２のフランジ部６８への係合によって、リング部材６１のカバー本体６０に対する中心軸Ｓに沿った移動が規制され、リング部材６１のカバー本体６０に対する中心軸Ｓの軸回りの移動が規制される。なお、カバー５が先端構成部２３に装着された状態では、リング部材６１の内周面においてフランジ係合溝７２より基端側の部位は、湾曲部２５の外周面の先端部に設けられる糸巻き部７３（図２参照）に、外周側から当接し、水密的に密着する。
【００３１】
カバー本体６０の内周面には、カバー係合部であるガイド突起７４が設けられる。ガイド突起７４は、内周側へ向かって突出し、基端側から先端側へ向かって延設される。ガイド突起７４は、カバー本体６０の基端部から先端部に渡って延設されることが好ましい。また、ガイド突起７４は、中心軸Ｓの軸回りについて、開口孔６５から略９０°離れた角度位置に、設けられる。図４Ｂは、中心軸Ｓに対してガイド突起７４が位置する側からカバー５を視た図である。カバー５を先端構成部２３に装着する際には、ガイド突起７４を先端部本体３０のガイド溝５５に係合させ、ガイド溝５５においてガイド突起７４を基端側へ移動させる。これにより、カバー５が先端構成部２３に対して基端側へ移動し、カバー５が先端構成部２３に装着される。そして、カバー５が先端構成部２３に装着された状態でも、ガイド溝５５にガイド突起７４が係合する。このため、カバー５が先端構成部２３に装着された状態では、ガイド突起７４は、第２の交差方向について長手軸Ｃに対してガイド溝５５及び観察窓３２Ａが位置する側（矢印Ｙ１側）に位置する。また、ガイド溝５５にガイド突起７４が係合することにより、長手軸Ｃ（中心軸Ｓ）を中心とする軸回り方向についてカバー５及び挿入部２０（先端構成部２３）の互いに対する移動が規制される。したがって、ガイド溝５５及びガイド突起７４によって、長手軸Ｃの軸回り方向について、カバー５が先端構成部２３に対して位置決めされる。
【００３２】
また、カバー本体６０には、カバー係合部である係止孔７５が形成される。係止孔７５は、係合溝６７からカバー本体６０の内部まで貫通する。係止孔７５は、中心軸Ｓの軸回りについて、開口孔６５から略９０°離れた角度位置で、かつ、ガイド突起７４から略１８０°離れた角度位置に、設けられる。図４Ｃは、中心軸Ｓに対して係止孔７５が位置する側からカバー５を視た図である。カバー５を先端構成部２３に装着する際には、ガイド溝５５においてガイド突起７４を基端側へ移動させることにより、先端構成部２３の係止ピン５７の外周側への突出部分が係止孔７５に挿入可能な位置、すなわち係止ピン５７が係止孔７５と係合可能な位置まで、カバー５を先端構成部２３に対して基端側へ移動させる。そして、ガイド溝５５にガイド突起７４が係合した状態で、係止ピン５７を係止孔７５と係合させることにより、カバー５が先端構成部２３に装着される。このため、カバー５が先端構成部２３に装着された状態では、係止孔７５は、第２の交差方向について長手軸Ｃに対して係止ピン５７及び空洞３７が位置する側（矢印Ｙ２側）に位置する。また、係止ピン５７が係止孔７５に係合することにより、長手軸Ｃ（中心軸Ｓ）に沿う方向についてカバー５及び挿入部２０（先端構成部２３）の互いに対する移動が規制される。したがって、係止ピン５７及び係止孔７５によって、長手軸Ｃに沿う方向について、カバー５が先端構成部２３に対して位置決めされる。
【００３３】
また、カバー本体６０の周壁６３には、開口孔６５の基端縁から基端側に向かってスリット７７Ａが延設され、カバー本体６０の基端から先端側に向かってスリット７７Ｂが延設される。スリット７７Ａ，７７Ｂのそれぞれでは、カバー本体６０の外部と内部とが連通する。また、スリット７７Ａ，７７Ｂは、中心軸Ｓの軸回りについて、互いに対して略同一の角度に位置し、開口孔６５と略同一の角度に位置する。このため、カバー５が先端構成部２３に装着された状態では、スリット７７Ａ，７７Ｂは、長手軸Ｃに対して撮像素子の観察方向側（矢印Ｘ１側）に位置する。スリット７７Ａの先端は、開口孔６５と連続する。また、スリット７７Ａの基端とスリット７７Ｂの先端との間は、不連続である。ただし、スリット７７Ａ，７７Ｂが設けられることにより、スリット７７Ａの基端とスリット７７Ｂの先端との間は、隣接する他の部位に比べて、強度が低く、脆弱になる。すなわち、カバー本体６０では、スリット７７Ａの基端とスリット７７Ｂの先端との間にカバー本体６０の他の部位に比べて強度が低い脆弱部７８が形成される。
【００３４】
カバー５を先端構成部２３から取外す際には、例えば所定の治具を用いて又は手で、脆弱部７８を破断し、スリット７７Ａ，７７Ｂを連続させる。そして、前述の所定の治具又は手で、係止ピン５７の係止孔７５との係合を解除する。これにより、ガイド溝５５において、ガイド突起７４が長手軸Ｃに沿う方向について移動可能となる。そして、ガイド溝５５においてガイド突起７４を先端側へ移動させることにより、先端構成部２３に対してカバー５を先端側へ移動させる。これにより、カバー５が先端構成部２３から取外される。
【００３５】
また、カバー５では、リング部材６１は、脆弱部７８の少なくとも一部を、外周側から覆う。したがって、脆弱部７８の少なくとも一部は、外部に対して露出しない。このため、カバー５が先端構成部２３に装着された内視鏡３を用いて管路を観察している状態等の内視鏡３の使用時において、例えば管路の内壁にカバー５が当接しても、脆弱部７８の破断が抑制される。
【００３６】
図５Ａ及び図５Ｂは、洗浄器具２の洗浄具本体１０の構成を示す図である。図５Ａ及び図５Ｂに示すように、洗浄具本体１０は、中心軸Ｐを有する。洗浄具本体１０は、内周面８０を有し、洗浄具本体１０の内部では、内周面８０によって前述の収納部１２が規定される。洗浄具本体１０では、中心軸Ｐに沿う方向について一方側（矢印Ｐ１側）の端に、挿入口８１が形成される。図５Ａでは、収納部１２は、挿入口８１で洗浄具本体１０の外部に開口するが、ある実施例では、挿入口８１に加えて収納部１２の周面に複数の開口窓が設けられてもよい。また、洗浄具本体１０では、中心軸Ｐに沿う方向について他方側（矢印Ｐ２側）の端に、開口窓８２が、形成される。収納部１２は、開口窓８２で洗浄具本体１０の外部に開口する。なお、図５Ａは、中心軸Ｐに略平行で、かつ、口金１３Ａ，１３Ｂを通る断面を示す。また、図５Ｂは、洗浄具本体１０を挿入口８１側（矢印Ｐ１側）から視た図である。
【００３７】
また、洗浄具本体１０では、壁部８３を備える。壁部８３は、中心軸Ｐに交差する（略垂直な）方向について、開口窓８２に隣設される。壁部８３は、壁面８３Ａ，８３Ｂを有し、中心軸Ｐに沿う方向について壁面８３Ａから壁面８３Ｂまで挿入口８１側に向かって延設される。壁面８３Ａは、開口窓８２が開口する側（矢印Ｐ２側）を向き、壁面８３Ｂは、挿入口８１が開口する側（矢印Ｐ１側）を向く。壁部８３の壁面８３Ａは、中心軸Ｐに沿う方向について洗浄具本体１０の開口窓８２側（矢印Ｐ２側）の端を、形成する。
【００３８】
洗浄具本体１０には、内部の収納部１２に洗浄液などの流体を流入させる流入口８５Ａ，８５Ｂが、形成される。ここで、例えば、供給チューブ１５Ａを通って供給された流体は、流入口８５Ａから収納部１２に流入し、供給チューブ１５Ｂを通って供給された流体は、流入口８５Ｂから収納部１２に流入する。
【００３９】
また、洗浄具本体１０には、規制ピン８７が固定される。規制ピン（突起）８７は、洗浄具本体１０の内周面８０において内周側に向かって突出する。規制ピン８７は、中心軸Ｐに沿う方向について、挿入口８１に対して開口窓８２側に位置し、かつ、流入口８５Ａ，８５Ｂに対して挿入口８１側に位置する。また、中心軸Ｐの軸回り方向について、規制ピン８７は、流入口８５Ａ，８５Ｂから略９０°離れた角度に位置する。
【００４０】
また、洗浄具本体１０の内周面８０には、内周側へ突出する保持部８８Ａ，８８Ｂが設けられる。保持部８８Ａ，８８Ｂのそれぞれは、中心軸Ｐに略平行に延設される。保持部８８Ａ，８８Ｂのそれぞれは、中心軸Ｐに沿う方向について規制ピン８７と略同一の位置から壁部８３の壁面８３Ｂに渡る範囲において連続して延設される。また、中心軸Ｐに交差する方向について、保持部８８Ａ，８８Ｂは、中心軸Ｐに対して流入口８５Ａ，８５Ｂとは反対側に位置する。そして、保持部８８Ａ，８８Ｂは、中心軸Ｐの軸回りについて、互いに対して離間する。
【００４１】
前述のような構成であるため、洗浄具本体１０では、挿入口８１から規制ピン８７（保持部８８Ａ，８８Ｂの挿入口８１側の端）に渡る範囲での中心軸Ｐに略垂直な収納部１２の断面積が、規制ピン８７から壁部８３の壁面８３Ｂまでに渡る範囲での中心軸Ｐに略垂直な収納部１２の断面積に比べて、大きい。そして、規制ピン８７から壁部８３の壁面８３Ｂまでに渡る範囲での中心軸Ｐに略垂直な収納部１２の断面積は、壁面８３Ｂから開口窓８２に渡る範囲での中心軸Ｐに略垂直な収納部１２の断面積に比べて、大きい。
【００４２】
カバー５を先端構成部２３に装着した状態で内視鏡３を使用した後は、洗浄器具２を用いて先端構成部２３の洗浄が行われる。洗浄器具２を用いた洗浄は、内視鏡用の洗浄装置を用いて本洗浄を行う前の下洗いとして行われ、洗浄器具２を用いた洗浄によって、大きな汚れが除去される。図６は、洗浄器具２を用いて先端構成部２３を洗浄している状態を示す図である。
【００４３】
図６に示すように、先端構成部２３を洗浄する際には、前述のようにしてカバー５を先端構成部２３から取外し、カバー５に代えて洗浄器具２の洗浄具本体１０を装着する。そして、先端構成部２３及び先端構成部２３に装着された洗浄具本体１０を、洗浄液で満たされたトレイ９１内に挿入する。これにより、先端構成部２３及び洗浄具本体１０がトレイ９１内の洗浄液に浸った状態になる。また、吸引チューブ１７Ａの吸引口ＶＡ及び吸引チューブ１７Ｂの吸引口ＶＢをトレイ９２内の洗浄液に浸す。この状態で、シリンジ１８Ａを作動することにより、流体である洗浄液を、吸引口ＶＡから吸引チューブ１７Ａ、分岐管１６Ａ及び供給チューブ１５Ａを順に通って、流入口８５Ａに供給し、流入口８５Ａから洗浄具本体１０の収納部１２に流入させる。また、シリンジ１８Ｂを作動し、流体である洗浄液を、吸引口ＶＢから、吸引チューブ１７Ｂ、分岐管１６Ｂ及び供給チューブ１５Ｂを順に通って、流入口８５Ｂに供給し、流入口８５Ｂから収納部１２に流入させる。そして、流入口８５Ａ，８５Ｂから収納部１２に流入した洗浄液によって、先端構成部２３が洗浄される。
【００４４】
図７Ａ及び図７Ｂは、先端構成部２３に洗浄具本体１０を装着した状態を示す図である。図７Ａは、第２の交差方向に略垂直な断面を示し、図７Ｂは、図７Ａの位置Ｚ１−Ｚ１での中心軸Ｐに略垂直な断面を示す。図７Ａ及び図７Ｂに示すように、洗浄具本体１０を先端構成部２３に、装着する際には、揺動台４３が倒置した状態で、先端構成部２３を洗浄具本体１０の収納部１２内に挿入口８１から挿入する。そして、先端部本体３０のガイド溝（内視鏡係合部）５５に、洗浄具本体１０の規制ピン（器具係合部）８７を係合させる。ガイド溝５５に規制ピン８７が係合することにより、長手軸Ｃ（中心軸Ｐ）を中心とする軸回り方向について洗浄具本体１０及び挿入部２０（先端構成部２３）の互いに対する移動が規制される。したがって、器具係合部である規制ピン８７によって、規制ピン８７が内視鏡係合部であるガイド溝５５と略同一の角度位置になる状態に、長手軸Ｃの軸回り方向について洗浄具本体１０が先端構成部２３に対して位置決めされる。長手軸Ｃの軸回りについて洗浄具本体１０が先端構成部２３に対して位置決めされた状態では、流入口８５Ａ，８５Ｂは、第１の交差方向について長手軸Ｃに対して撮像素子の観察方向側（矢印Ｘ１側）に位置する。したがって、揺動台４３の第１の面５１は、第１の交差方向について長手軸Ｃに対して流入口８５Ａ，８５Ｂが位置する側（矢印Ｘ１側）を向き、第２の面５２は、第１の交差方向について長手軸Ｃに対して流入口８５Ａ，８５Ｂが位置する側とは反対側（矢印Ｘ２側）を向く。
【００４５】
そして、規制ピン８７がガイド溝５５に係合した状態で、規制ピン８７をガイド溝５５において先端側から基端側へ移動させる。これにより、収納部１２において挿入口８１側から開口窓８２側へ向かって、先端構成部２３が洗浄具本体１０に対して移動する。そして、規制ピン８７がガイド溝５５の基端縁に当接することにより、先端構成部２３の開口窓８２側（先端側）への移動が規制される。すなわち、規制ピン８７によって、長手軸Ｃ（中心軸Ｐ）に沿う方向について、洗浄具本体１０が先端構成部２３に対して位置決めされる。規制ピン８７がガイド溝５５の基端縁に当接するまで先端構成部２３が収納部１２を長手軸Ｃに沿って移動することにより、収納部１２において先端構成部２３は洗浄液等の流体が供給される所定の位置に位置する。すなわち、本実施形態では、規制ピン８７が位置決め部として機能し、規制ピン８７によって、流体が供給される所定の位置に先端構成部２３が位置する状態に、洗浄具本体１０の内部での先端構成部２３の位置が規定される。なお、本実施形態では、位置決め部である規制ピン８７によって、長手軸Ｃに沿う方向、及び、長手軸Ｃを中心とする軸回り方向について、洗浄具本体１０が先端構成部２３に対して位置決めされる。
【００４６】
また、本実施形態では、ガイド溝５５は、カバー５の先端構成部２３への装着において、カバー５のガイド突起（カバー係合部）７４と係合する。したがって、カバー５の先端構成部２３への装着に必要な構成を用いて、所定の位置に先端構成部２３が位置する状態に、洗浄具本体１０の内部で先端構成部２３の位置が規定される。すなわち、先端構成部２３の構成が複雑化することなく、先端構成部２３に対して洗浄具本体１０が位置決めされる。
【００４７】
先端構成部２３が所定の位置に位置する状態では、保持部８８Ａ，８８Ｂは、先端部本体３０の曲面部５３に外周側から当接する。これにより、規制ピン８７及び保持部８８Ａ，８８Ｂ以外の部位では、洗浄具本体１０の内周面８０と先端構成部２３の外周部との間に隙間が形成される。また、先端構成部２３が所定の位置に位置する状態では、支持シャフト４５及びシャフト受け４６は、長手軸Ｃ（中心軸Ｐ）に沿う方向について流入口８５Ａと略同一の位置に位置するとともに、第２の交差方向についても流入口８５Ａと略同一の位置に位置する。さらに、先端構成部２３が所定の位置に位置する状態では、先端構成部２３の先端は、流入口８５Ｂ及び壁部８３に対して挿入口８１側（基端側）に位置し、先端構成部２３の先端と壁部８３の壁面８３Ｂとの間に隙間が形成される。なお、本実施形態では、先端構成部２３の先端は、揺動台４３によって形成され、先端部本体３０の先端面は、先端構成部２３の先端より基端側に位置する。
【００４８】
図８は、洗浄具本体１０の収納部１２において所定の位置に位置する先端構成部２３に、洗浄液が供給されている状態を示す図である。図８は、第２の交差方向に略垂直な断面を示す。洗浄具本体１０の収納部１２において先端構成部２３が所定の位置に位置する状態では、支持シャフト４５及びシャフト受け４６の流入口８５Ａに対する位置関係は、前述のようになる。このため、図８に示すように、流入口８５Ａから収納部１２に流入した洗浄液（流体）は、第１の面５１側から揺動台４３の支持シャフト４５及びその近傍に向かって噴出される（図８の矢印ＵＡ）。そして、洗浄液は、揺動台４３の第１の面５１及びその近傍に供給される。また、洗浄具本体１０の収納部１２において先端構成部２３が所定の位置に位置する状態では、先端構成部２３の先端の流入口８５Ｂ及び壁部８３に対する位置関係は、前述のようになる。このため、流入口８５Ｂから収納部１２に流入した洗浄液（流体）は、先端構成部２３の先端と壁部８３の壁面８３Ｂとの間の隙間を通過し、揺動台４３の第２の面５２と洗浄具本体１０の内周面８０との間の隙間に流入する（図８の矢印ＵＢ）。これにより、洗浄液は、揺動台４３の第２の面５２及びその近傍に供給される。前述のように、収納部１２において先端構成部２３が所定の位置に位置する状態では、揺動台４３の第１の面５１及び第２の面５２の両方に、洗浄液が供給される。このため、揺動台４３が適切に洗浄される。
【００４９】
また、洗浄具本体１０には、挿入口８１及び挿入口８１とは反対側に開口する開口窓８２が設けられる。このため、洗浄具本体１０の内部の収納部１２から挿入口８１又は開口窓８２を通して、排液が洗浄具本体１０の外部へ流出し易く、収納部１２に排液が滞留し難くなる。
【００５０】
また、前述のように、カバー５が先端構成部２３に装着されていない状態では、シャフト受け４６において、揺動台４３及び支持シャフト４５は、支持シャフト４５の中心軸に交差する方向について、先端部本体３０に対して微動可能である。このため、支持シャフト４５及びその近傍に流入口８５Ａから流体が噴出されることにより、流体圧によって、支持シャフト４５は、シャフト受け４６に対して微動する。また、洗浄具本体１０の収納部１２において先端構成部２３が所定の位置に位置する状態では、先端構成部２３の先端と壁部８３の壁面８３Ｂとの間の距離Ｗ１に比べ、揺動台４３の第２の面５２と洗浄具本体１０の内周面８０との間の距離Ｗ２が小さい。このため、先端構成部２３の先端と壁部８３の壁面８３Ｂとの間を通過する流体の流速に比べて、揺動台４３の第２の面５２と洗浄具本体１０の内周面８０との間を通過する流体の流速が、大きくなる。第２の面５２と内周面８０との間を通過する流体の流速が大きくなることにより、流体圧によって、支持シャフト４５は、シャフト受け４６に対して微動する。したがって、本実施形態では、流入口８５Ａ、８５Ｂから流入した洗浄液によって、支持シャフト４５及び揺動台４３がシャフト受け４６に対して微動し、支持シャフト４５がシャフト受け４６に対して浮く。支持シャフト４５がシャフト受け４６に対して浮くことにより、シャフト受け４６を形成する先端部本体３０と支持シャフト４５との間に隙間が形成される。これにより、支持シャフト４５及びその近傍が適切に洗浄され、揺動台４３がさらに適切に洗浄される。
【００５１】
図９Ａ及び図９Ｂは、カバー５が装着された先端構成部２３を洗浄具本体１０の収納部１２に挿入した状態を示す図である。図９Ａは、第２の交差方向に略垂直な断面を示し、図９Ｂは、先端構成部２３及びカバー５を通る長手軸Ｃに略垂直な断面を示す。図９Ａに示すように、カバー５が装着された状態で先端構成部２３を挿入口８１から収納部１２に挿入すると、カバー５の先端部が、規制ピン８７及び保持部８８Ａ，８８Ｂの挿入口８１側の端のいずれかに当接し、規制ピン８７及び保持部８８Ａ，８８Ｂのいずれかに干渉する。これにより、規制ピン８７（保持部８８Ａ，８８Ｂの挿入口８１側の端）から先端構成部２３及びカバー５が開口窓８２側（先端側）へ移動することが、規制される。収納部１２において規制ピン８７より開口窓８２側へカバー５及び先端構成部２３が移動不可能であるため、カバー５が装着された先端構成部２３は、収納部１２において前述の所定の位置に移動不可能となる。すなわち、本実施形態では、規制ピン８７及び保持部８８Ａ，８８Ｂが規制部として機能し、規制ピン８７及び保持部８８Ａ，８８Ｂは、カバー５と干渉することにより、カバー５が装着された先端構成部２３の所定の位置への移動を規制する。なお、本実施形態では、位置決め部である規制ピン（突起）８７が、規制部としても機能する。また、所定の位置への移動を規制することは、所定の位置への移動を阻止することを含み、所定の位置への移動を制限することを意味する。
【００５２】
前述のような構成であるため、内視鏡３の使用後において、カバー５を先端構成部２３から取外すことなく洗浄器具２を用いて先端構成部２３の洗浄を行った場合、収納部１２において先端構成部２３を所定の位置に移動させることができない。このため、使用者は、カバー５が先端構成部２３から取外されていないことを、適切に認識できる。したがって、本実施形態では、カバー５が先端構成部２３から取外された状態でのみ、収納部１２において先端構成部２３を洗浄液（流体）が適切に供給される所定の位置に、位置させることが可能となる。これにより、カバー５が先端構成部２３に装着された状態で先端構成部２３の洗浄が行われることが、確実に防止される。そして、ユーザには、先端構成部２３からカバー５が取外された状態でのみ、収納部１２の所定の位置に先端構成部２３を配置して洗浄を行うことを認識させることができる。カバー５が先端構成部２３から取外された状態で確実に先端構成部２３が洗浄されることにより、例えば揺動台（起上台）４３の周辺等の先端構成部２３の細部まで、容易かつ確実に先端構成部２３が洗浄される。
【００５３】
（変形例）  
なお、図１０Ａ及び図１０Ｂに示す第１の変形例では、ガイド溝５５の代わりに内視鏡係合部としてガイド面９３が設けられる。ガイド面９３は、基端側から先端側へ向かって延設され、第２の交差方向について長手軸Ｃに対して観察窓３２Ａ（平面部３１Ａ）が位置する側（矢印Ｙ１側）に、位置する。また、ガイド面９３は、第２の交差方向の一方側（矢印Ｙ１側）を向く平面状に形成される。ガイド面９３は、長手軸Ｃの軸回りについて、平面部３１Ａから略９０°離れた角度位置に、設けられる。また、ガイド面９３の基端には、先端側（矢印Ｃ１側）を向く段差面９５が形成される。なお、図１０Ａは、先端構成部２３を第２の交差方向の一方側から視た図であり、図１０Ｂは、洗浄具本体１０が先端構成部２３に装着された状態を、先端構成部２３の先端に対して開口窓８２側の位置での長手軸Ｃ（中心軸Ｐ）に略垂直な断面で示す。
【００５４】
本変形例では、洗浄具本体１０を先端構成部２３に装着する際に、先端部本体３０のガイド面（内視鏡係合部）９３に、洗浄具本体１０の規制ピン（器具係合部）８７を係合させる。すなわち、規制ピン８７の突出端をガイド面９３に外周側から当接させる。これにより、器具係合部である規制ピン８７によって、規制ピン８７が内視鏡係合部であるガイド面９３と略同一の角度位置になる状態に、長手軸Ｃの軸回り方向について洗浄具本体１０が先端構成部２３に対して位置決めされる。
【００５５】
そして、規制ピン８７がガイド面９３に係合した状態、すなわち、規制ピン８７がガイド面９３に当接した状態で、規制ピン８７をガイド面９３において先端側から基端側へ移動させる。これにより、収納部１２において挿入口８１側から開口窓８２側へ向かって、先端構成部２３が洗浄具本体１０に対して移動する。そして、規制ピン８７がガイド面９３の基端の段差面９５に当接することにより、先端構成部２３の開口窓８２側（先端側）への移動が規制される。すなわち、規制ピン８７によって、長手軸Ｃ（中心軸Ｐ）に沿う方向について、洗浄具本体１０が先端構成部２３に対して位置決めされる。規制ピン８７が段差面９５に当接するまで先端構成部２３が収納部１２を長手軸Ｃに沿って移動することにより、収納部１２において先端構成部２３は洗浄液等の流体が供給される所定の位置に位置する。したがって、本変形例でも、規制ピン８７が位置決め部として機能し、規制ピン８７によって、流体が供給される所定の位置に先端構成部２３が位置する状態に、洗浄具本体１０の内部での先端構成部２３の位置が規定される。
【００５６】
また、本変形例でも第１の実施形態と同様に、規制ピン８７及び保持部８８Ａ，８８Ｂが規制部として機能し、規制ピン８７及び保持部８８Ａ，８８Ｂは、カバー５と干渉することにより、カバー５が装着された先端構成部２３の所定の位置への移動を規制する。
【００５７】
また、図１１Ａ乃至図１３Ｂに示す第２の変形例では、器具係合部である規制ピン８７の代わりに規制凸部１００が設けられる。規制凸部１００は、洗浄具本体１０の内周面８０において内周側へ突出する。また、規制凸部１００は、中心軸Ｐの軸回りについて、流入口８５Ａ，８５Ｂと略同一の角度に位置する。流入口８５Ａは、規制凸部１００の突出端に形成される。また、規制凸部１００は、中心軸Ｐに沿う方向について、流入口８５Ｂ及び壁部８３に対して挿入口８１側に位置する。
【００５８】
規制凸部１００は、挿入口８１側を向く凸側面１０１Ａと、開口窓８２側を向く凸側面１０１Ｂと、を備える。また、規制凸部１００は、内周側を向く凸端面１０２Ａ，１０２Ｂを備える。凸端面１０２Ａ，１０２Ｂは、中心軸Ｐに交差する方向について、隣設される。凸端面１０２Ａ，１０２Ｂの間には、段差面１０３が形成される。段差面１０３によって、凸端面１０２Ａは、凸端面１０２Ｂに対して内周側に位置する。
【００５９】
なお、図１１Ａは、洗浄具本体１０を、中心軸Ｐに略平行で、かつ、口金１３Ａ，１３Ｂを通る断面で示し、図１１Ｂは、洗浄具本体１０を挿入口８１側から視た図である。また、図１２Ａ及び図１２Ｂは、先端構成部２３に洗浄具本体１０を装着した状態を示し、図１２Ａは、第２の交差方向に略垂直な断面を、図１２Ｂは、先端構成部２３を通る長手軸Ｃに略垂直な断面を示す。そして、図１３Ａ及び図１３Ｂは、カバー５が装着された先端構成部２３を洗浄具本体１０の収納部１２に挿入した状態を示し、図１３Ａは、第２の交差方向に略垂直な断面を示し、図１３Ｂは、先端構成部２３及びカバー５を通る長手軸Ｃに略垂直な断面を示す。
【００６０】
本変形例でも、洗浄具本体１０を先端構成部２３に装着する際には、揺動台４３が倒置した状態で、先端構成部２３を洗浄具本体１０の収納部１２内に挿入口８１から挿入する。この際、規制凸部１００が第１の交差方向について長手軸Ｃに対して撮像素子の観察方向側（矢印Ｘ１側）に位置する状態で、先端構成部２３を開口窓８２側に向かって移動させる。このため、規制凸部１００が設けられる範囲を先端構成部２３が開口窓８２に向かって移動している状態では、壁部３８の平面部３８Ａ及び揺動台４３の第１の面５１が凸端面１０２Ａと対向し、壁部３１の平面部３１Ａの一部が凸端面１０２Ｂと対向する。この際、壁部３１は、第２の交差方向について規制凸部１００の段差面１０３に対して凸端面１０２Ｂが位置する側（矢印Ｙ１側）に位置する。そして、壁部３８及び揺動台４３は、第２の交差方向について規制凸部１００の段差面１０３に対して凸端面１０２Ａが位置する側に（矢印Ｙ２側）位置する。
【００６１】
また、規制凸部１００が設けられる範囲まで先端構成部２３が収納部１２を開口窓８２側に移動した状態では、壁部３１が凸端面１０２Ｂ又は段差面１０３に当接するか、又は、揺動台４３又は壁部３８が凸端面１０２Ａに当接することにより、先端構成部２３の洗浄具本体１０に対する長手軸Ｃ（中心軸Ｐ）の軸回りについての移動が規制される。したがって、規制凸部１００によって、規制凸部１００が長手軸Ｃに対して撮像素子の観察方向側（矢印Ｘ１側）に位置する状態に、長手軸Ｃの軸回り方向について洗浄具本体１０が先端構成部２３に対して位置決めされる。本変形例でも、長手軸Ｃの軸回りについて洗浄具本体１０が先端構成部２３に対して位置決めされた状態では、揺動台４３の第１の面５１は、第１の交差方向について長手軸Ｃに対して流入口８５Ａ，８５Ｂが位置する側（矢印Ｘ１側）を向き、第２の面５２は、第１の交差方向について長手軸Ｃに対して流入口８５Ａ，８５Ｂが位置する側とは反対側（矢印Ｘ２側）を向く。
【００６２】
そして、規制凸部１００によって先端構成部２３の洗浄具本体１０に対する長手軸Ｃの軸回りに移動が規制された状態で、収納部１２において挿入口８１側から開口窓８２側へ向かって、先端構成部２３が洗浄具本体１０に対して移動する。そして、本変形例では、湾曲部２５の先端面１０５が保持部８８Ａ、８８Ｂの挿入口８１側（基端側）の端に当接することにより、先端構成部２３の開口窓８２側（先端側）への移動が規制される。すなわち、保持部８８Ａ，８８Ｂによって、長手軸Ｃ（中心軸Ｐ）に沿う方向について、洗浄具本体１０が先端構成部２３に対して位置決めされる。
【００６３】
規制凸部１００によって先端構成部２３の洗浄具本体１０に対する長手軸Ｃの軸回りについての移動が規制され、かつ、湾曲部２５の先端面１０５が保持部８８Ａ，８８Ｂの一端に当接するまで先端構成部２３が収納部１２を長手軸Ｃに沿って移動することにより、収納部１２において先端構成部２３は洗浄液等の流体が供給される所定の位置に位置する。すなわち、本変形例では、規制凸部１００及び保持部８８Ａ，８８Ｂが位置決め部として機能し、規制凸部１００及び保持部８８Ａ，８８Ｂによって、流体が供給される所定の位置に先端構成部２３が位置する状態に、洗浄具本体１０の内部で先端構成部２３の位置が規定される。
【００６４】
また、本変形例では、カバー５が装着された状態で先端構成部２３を挿入口８１から収納部１２に挿入すると、カバー５の先端部が、規制凸部１００の凸側面１０１Ａ及び保持部８８Ａ，８８Ｂのいずれかに当接し、規制凸部１００及び保持部８８Ａ，８８Ｂのいずれかに干渉する。これにより、規制凸部１００の凸側面１０１Ａから先端構成部２３及びカバー５が開口窓８２側（先端側）へ移動することが、規制される。収納部１２において凸側面１０１Ａより開口窓８２側へカバー５及び先端構成部２３が移動不可能であるため、カバー５が装着された先端構成部２３は、収納部１２において前述の所定の位置に移動不可能となる。すなわち、本変形例では、規制凸部１００及び保持部８８Ａ，８８Ｂが規制部として機能し、規制凸部１００及び保持部８８Ａ，８８Ｂは、カバー５と干渉することにより、カバー５が装着された先端構成部２３の所定の位置への移動を規制する。なお、本変形例では、位置決め部である規制凸部１００及び保持部８８Ａ，８８Ｂが、規制部としても機能する。
【００６５】
また、本変形例では、揺動台４３が起上している状態、すなわち揺動台４３が倒置していない状態において、揺動台４３の先端部が、規制凸部１００に干渉する。これにより、規制凸部１００の凸側面１０１Ａから揺動台４３が起上した先端構成部２３が開口窓８２側（先端側）へ移動することが、規制される。収納部１２において凸側面１０１Ａより開口窓８２側へ先端構成部２３が移動不可能であるため、揺動台４３が倒置していない状態では、先端構成部２３は、収納部１２において前述の所定の位置に移動不可能となる。したがって、本変形例では、揺動台４３が倒置した状態でのみ、洗浄具本体１０が先端構成部２３に装着される。
【００６６】
また、図１４Ａ乃至図１６Ｂに示す第３の変形例では、器具係合部である規制ピン８７の代わりに規制内周面１０６が設けられる。規制内周面１０６は、洗浄具本体１０の内周面８０の一部を形成し、中心軸Ｐの軸回りについて全周に渡って形成される。また、規制内周面１０６は、開口窓８２から挿入口８１側へ向かって延設される。そして、規制内周面１０６は、内周面８０において規制内周面１０６に対して挿入口８１側の部位に比べて、内周側へ突出する。このため、中心軸Ｐに沿う方向について規制内周面１０６の挿入口８１側の端には、段差面１１２が形成される。段差面１１２は、中心軸Ｐの軸回りについて全周に渡って形成される。また、流入口８５Ａ，８５Ｂは、規制内周面１０６に設けられる。したがって、中心軸Ｐに沿う方向について、段差面１１２（規制内周面１０６の挿入口８１側の端）は、流入口８５Ａに対して挿入口８１側（矢印Ｐ１側）に位置する。
【００６７】
規制内周面１０６では、挿入口８１側の端から開口窓８２まで、中心軸Ｐに略垂直な断面形状が、略Ｄ字状になる。すなわち、規制内周面１０６は、曲面部１０７及び平面部１０８を有し、中心軸Ｐに略垂直な断面において、曲面部１０７の両端は、平面部１０８と連続する。流入口８５Ａ，８５Ｂは、平面部１０８に形成される。また、曲面部１０７は、長手軸Ｐに略垂直な断面において長手軸Ｐを略中心とする半径Ｒ０の円弧状に形成され、半径Ｒ０は、長手軸Ｃから先端部本体３０の曲面部５３までの距離と略同一である。
【００６８】
また、規制内周面１０６では、曲面部１０７から、内周側に突出する突出部１１１が設けられる。突出部１１１は、開口窓８２から挿入口８１側に向かって延設される。突出部１１１の挿入口８１側の端は、中心軸Ｐに沿う方向について段差面１１２及び流入口８５Ａに対して開口窓８２側（矢印Ｐ２側）に位置する。そして、突出部１１１の挿入口８１側の端は、中心軸Ｐに沿う方向について流入口８５Ｂに対して挿入口８１側（矢印Ｐ１側）に位置する。また、中心軸Ｐの軸回りについて、突出部１１１は、平面部１０８及び流入口８５Ａ，８５Ｂに対して、略１８０°離れた角度に位置する。
【００６９】
なお、図１４Ａは、洗浄具本体１０を、中心軸Ｐに略平行で、かつ、口金１３Ａ，１３Ｂを通る断面で示し、図１４Ｂは、洗浄具本体１０を挿入口８１側から視た図である。また、図１５Ａ及び図１５Ｂは、先端構成部２３に洗浄具本体１０を装着した状態を示し、図１５Ａは、第２の交差方向に略垂直な断面を、図１５Ｂは、先端構成部２３を通る長手軸Ｃに略垂直な断面を示す。そして、図１６Ａ及び図１６Ｂは、カバー５が装着された先端構成部２３を洗浄具本体１０の収納部１２に挿入した状態を示し、図１６Ａは、第２の交差方向に略垂直な断面を示し、図１６Ｂは、先端構成部２３及びカバー５を通る長手軸Ｃに略垂直な断面を示す。
【００７０】
本変形例でも、洗浄具本体１０を先端構成部２３に装着する際には、先端構成部２３を洗浄具本体１０の収納部１２内に挿入口８１から挿入する。この際、平面部１０８が第１の交差方向について長手軸Ｃに対して撮像素子の観察方向側（矢印Ｘ１側）に位置する状態で、先端構成部２３を開口窓８２側に向かって移動させる。このため、規制内周面１０６が設けられる範囲を先端構成部２３が開口窓８２に向かって移動している状態では、先端部本体３０の曲面部５３に曲面部１０７が外周側から当接し、壁部３１の平面部３１Ａに平面部１０８が外周側から当接する。したがって、規制内周面１０６が設けられる範囲まで先端構成部２３が収納部１２を開口窓８２側に移動した状態では、規制内周面１０６の略Ｄ字状の長手軸Ｃ（中心軸Ｐ）に垂直な断面形状によって、先端構成部２３の洗浄具本体１０に対する長手軸Ｃ（中心軸Ｐ）の軸回りについての移動が規制される。したがって、規制内周面１０６によって、平面部１０８が長手軸Ｃに対して撮像素子の観察方向側（矢印Ｘ１側）に位置する状態に、長手軸Ｃの軸回り方向について洗浄具本体１０が先端構成部２３に対して位置決めされる。本変形例でも、長手軸Ｃの軸回りについて洗浄具本体１０が先端構成部２３に対して位置決めされた状態では、揺動台４３の第１の面５１は、第１の交差方向について長手軸Ｃに対して流入口８５Ａ，８５Ｂが位置する側（矢印Ｘ１側）を向き、第２の面５２は、第１の交差方向について長手軸Ｃに対して流入口８５Ａ，８５Ｂが位置する側とは反対側（矢印Ｘ２側）を向く。
【００７１】
そして、規制内周面１０６によって先端構成部２３の洗浄具本体１０に対する長手軸Ｃの軸回りについての移動が規制された状態で、収納部１２において挿入口８１側から開口窓８２側へ向かって、先端構成部２３が洗浄具本体１０に対して移動する。そして、本変形例では、先端部本体３０の先端面１１３が突出部１１１の挿入口８１側（基端側）の端に当接することにより、先端構成部２３の開口窓８２側（先端側）への移動が規制される。すなわち、突出部１１１によって、長手軸Ｃ（中心軸Ｐ）に沿う方向について、洗浄具本体１０が先端構成部２３に対して位置決めされる。なお、本変形例でも、先端構成部２３では、揺動台４３の先端によって先端が形成され、先端部本体３０の先端面１１３は、揺動台４３の先端に対して基端側に位置する。
【００７２】
規制内周面１０６によって先端構成部２３の洗浄具本体１０に対する長手軸Ｃの軸回りについての移動が規制され、かつ、先端部本体３０の先端面１１３が突出部１１１の一端に当接するまで先端構成部２３が収納部１２を長手軸Ｃに沿って移動することにより、収納部１２において先端構成部２３は洗浄液等の流体が供給される所定の位置に位置する。すなわち、本変形例では、規制内周面１０６及び突出部１１１が位置決め部として機能し、規制内周面１０６及び突出部１１１によって、流体が供給される所定の位置に先端構成部２３が位置する状態に、洗浄具本体１０の内部で先端構成部２３の位置が規定される。
【００７３】
また、収納部１２において前述の所定の位置に先端構成部２３が位置する状態において、図１５Ａの二点鎖線で示すように揺動台４３を起上すると、揺動台４３が規制内周面１０６の平面部１０８に当接する。これにより、先端構成部２３の所定の位置からの挿入口８１側への移動が、抑制される。したがって、流入口８５Ａ，８５Ｂから流入した洗浄液によって先端構成部２３を洗浄している状態において、先端構成部２３が液圧等によって所定の位置から挿入口８１側へ移動することが、防止される。そして、洗浄が完了すると、図１５Ａの実線で示すように揺動台４３を倒置する。これにより、揺動台４３は、平面部１０８に接触しなくなり、先端構成部２３は、洗浄具本体１０に対して挿入口８１側に移動可能となる。このため、洗浄具本体１０を先端構成部２３から取外し可能となる。
【００７４】
また、本変形例では、カバー５が装着された状態で先端構成部２３を挿入口８１から収納部１２に挿入すると、カバー５の先端部が、規制内周面１０６の挿入口８１側の端、すなわち段差面１１２に当接し、段差面１１２に干渉する。これにより、段差面１１２から先端構成部２３及びカバー５が開口窓８２側（先端側）へ移動することが、規制される。収納部１２において段差面１１２より開口窓８２側へカバー５及び先端構成部２３が移動不可能であるため、カバー５が装着された先端構成部２３は、収納部１２において前述の所定の位置に移動不可能となる。すなわち、本変形例では、段差面１１２が規制部として機能し、段差面１１２は、カバー５と干渉することにより、カバー５が装着された先端構成部２３の所定の位置への移動を規制する。
【００７５】
また、図１７Ａ及び図１７Ｂに示す第４の変形例では、第３の変形例と同様の構成に加えて、洗浄具本体１０に、切欠き１１５Ａ，１１５Ｂが設けられる。切欠き１１５Ａ，１１５Ｂのそれぞれは、洗浄具本体１０の外部から収納部１２まで貫通する。切欠き１１５Ａ，１１５Ｂは、中心軸Ｐに沿う方向について互いに対して略同一の位置に設けられ、中心軸Ｐ（長手軸Ｃ）を中心とする軸回りについて、互いに対して略１８０°離れて配置される。また、切欠き１１５Ａ，１１５Ｂは、中心軸Ｐに沿う方向について段差面１１２（規制内周面１０６の挿入口８１側の端）に対して挿入口８１側に位置する。また、本変形例では、切欠き１１５Ａ，１１５Ｂに、弾性部材であるＯリング１１６が取付けられる。なお、切欠き１１５Ａ，１１５Ｂに取付けられる弾性部材は、リング状のものであれば、Ｏリング１１６に限定されない。また、図１７Ａは、先端構成部２３に洗浄具本体１０を装着した状態を第２の交差方向に略垂直な断面で示し、図１７Ｂは、図１７Ａの位置Ｚ２−Ｚ２での長手軸Ｃに略垂直な断面を示す。
【００７６】
本変形例では、先端構成部２３が収納部１２において前述の所定の位置に位置する状態において、湾曲部２５の外周面の先端部に設けられる糸巻き部７３は、中心軸Ｐに沿う方向についてＯリング１１６と段差面１１２との間に位置する。このため、挿入口８１から所定の位置まで先端構成部２３を移動させる際には、糸巻き部７３は、Ｏリング１１６が設けられる範囲を開口窓８２側へ向かって移動する。ここで、糸巻き部７３では、先端構成部２３に比べて、長手軸Ｃから外周面までの距離、すなわち外径が大きい。このため、Ｏリング１１６が設けられる範囲を糸巻き部７３が開口窓８２側へ向かって移動することにより、Ｏリング１１６が弾性変形する。Ｏリング１１６の弾性変形によって、操作者は、クリック感を得られる。そして、クリック感の有無に基づいて、操作者は、先端構成部２３が収納部１２において前述の所定の位置まで移動したか否かを判断可能となる。
【００７７】
また、先端構成部２３が収納部１２において前述の所定の位置に位置する状態では、Ｏリング１１６によって、収納部１２においてＯリング１１６に対して挿入口８１側の部位への糸巻き部７３の移動が抑制される。これにより、流入口８５Ａ，８５Ｂから流入した洗浄液によって先端構成部２３を洗浄している状態において、先端構成部２３が液圧等によって所定の位置から挿入口８１側へ移動することが、防止される。このため、先端構成部２３が意図せず、挿入口８１側へ移動することが、防止される。
【００７８】
また、図１８Ａ及び図１８Ｂに示す第５の変形例では、洗浄具本体１０に、外周面から収納部１２まで貫通する開口窓１１７が設けられる。開口窓１１７は、流入口８５Ａ，８５Ｂに対して、挿入口８１側に位置する。また、開口窓１１７は、中心軸Ｐの軸回りについて、流入口８５Ａ，８５Ｂに対して略９０°離れた角度に位置する。また、本変形例では、洗浄具本体１０の内周面８０に、内周側へ突出する突出部１１８が設けられる。突出部１１８は、中心軸Ｐの軸回りについて全周に渡って形成される。また、突出部１１８は、開口窓８２から挿入口８１側へ向かって延設される。突出部１１８が内周側へ突出するため、中心軸Ｐに沿う方向について突出部１１８の挿入口８１側の端には、段差面１２５が形成される。段差面１２５は、中心軸Ｐの軸回りについて全周に渡って形成される。また、流入口８５Ａ，８５Ｂは、突出部１１８に設けられる。したがって、中心軸Ｐに沿う方向について、段差面１２５（突出部１１８の挿入口８１側の端）は、流入口８５Ａに対して挿入口８１側（矢印Ｐ１側）に位置する。また、開口窓１１７は、段差面１２５から挿入口８１側へ向かって延設される。
【００７９】
また、本変形例では、収納部１２において、段差面１２５から挿入口８１側に向かって延設片１２１が延設される。延設片１２１は、段差面１２５から挿入口８１側へ突出する。また、延設片１２１は、中心軸Ｐの軸回りについて、開口窓１１７と略同一の角度に位置する。ただし、延設片１２１は、開口窓１１７から内周側に離れて、位置する。延設片１２１には、延設片１２１を貫通する係止孔１２２が器具係合部として設けられる。また、延設片１２１は、延設片１２１の挿入口８１側の端（突出端）を形成する端面１２３を備える。係止孔１２２は、中心軸Ｐに沿う方向について端面１２３と段差面１２５との間に位置する。また、係止孔１２２及び端面１２３は、中心軸Ｐに沿う方向について開口窓１１７の挿入口８１側の縁と段差面１２５（開口窓１１７の開口窓８２側の縁）との間に、位置する。なお、図１８Ａは、洗浄具本体１０を中心軸Ｐに対して開口窓１１７が位置する側から視た図であり、図１８Ｂは、先端構成部２３に洗浄具本体１０を装着した状態を第１の交差方向に略垂直な断面で示す。
【００８０】
本変形例でも、洗浄具本体１０を先端構成部２３に装着する際には、先端構成部２３を洗浄具本体１０の収納部１２内に挿入口８１から挿入する。この際、内視鏡係合部である係止ピン５７が長手軸Ｃの軸回りについて器具係合部である係止孔１２２と略同一の角度位置となる状態で、先端構成部２３を開口窓８２側に向かって移動させる。すなわち、開口窓１１７及び係止孔１２２が第２の交差方向について長手軸Ｃに対して係止ピン５７が位置する側（矢印Ｙ２側）に位置する状態で、先端構成部２３を開口窓８２側に向かって移動させる。そして、先端構成部２３の係止ピン（内視鏡係合部）５７に、洗浄具本体１０の係止孔（器具係合部）１２２を係合させる。係止ピン５７に係止孔１２２が係合することにより、長手軸Ｃ（中心軸Ｐ）を中心とする軸回り方向について洗浄具本体１０及び挿入部２０（先端構成部２３）の互いに対する移動が規制される。したがって、器具係合部である係止孔１２２によって、係止孔１２２が内視鏡係合部である係止ピン５７と略同一の角度位置になる状態に、長手軸Ｃの軸回り方向について洗浄具本体１０が先端構成部２３に対して位置決めされる。本変形例でも、長手軸Ｃの軸回りについて洗浄具本体１０が先端構成部２３に対して位置決めされた状態では、揺動台４３の第１の面５１は、第１の交差方向について長手軸Ｃに対して流入口８５Ａ，８５Ｂが位置する側（矢印Ｘ１側）を向き、第２の面５２は、第１の交差方向について長手軸Ｃに対して流入口８５Ａ，８５Ｂが位置する側とは反対側（矢印Ｘ２側）を向く。
【００８１】
また、本変形例では、係止ピン５７に係止孔１２２が係合することにより、先端構成部２３の開口窓８２側（先端側）への移動が規制される。すなわち、係止孔１２２によって、長手軸Ｃ（中心軸Ｐ）に沿う方向について、洗浄具本体１０が先端構成部２３に対して位置決めされる。したがって、本変形例では、係止ピン５７に係止孔１２２が係合することにより、収納部１２において先端構成部２３は洗浄液等の流体が供給される所定の位置に位置する。すなわち、本変形例では、係止孔１２２が位置決め部として機能し、係止孔１２２によって、流体が供給される所定の位置に先端構成部２３が位置する状態に、洗浄具本体１０の内部で先端構成部２３の位置が規定される。
【００８２】
なお、本変形例では、位置決め部である係止孔１２２は、係止ピン５７と係合することにより、長手軸Ｃを中心とする軸回り方向、及び、長手軸Ｃに沿う方向について、洗浄具本体１０を先端構成部２３に対して位置決めする。そして、係止ピン５７は、カバー５の先端構成部２３の装着において、カバー５の係止孔（カバー係合部）７５と係合する。したがって、カバー５の先端構成部２３への装着に必要な構成を用いて、所定の位置に先端構成部２３が位置する状態に、洗浄具本体１０の内部での先端構成部２３の位置が規定される。
【００８３】
また、本変形例では、係止ピン５７に係止孔１２２が係合することにより、クリック音が発生する。このため、クリック感の有無に基づいて、操作者は、先端構成部２３が収納部１２において前述の所定の位置まで移動したか否かを判断可能となる。
【００８４】
さらに、本変形例では、前述のような構成であるため、先端構成部２３が収納部１２において前述の所定の位置する状態において、操作者は、開口窓１１７を通して、係止ピン５７への係止孔１２２の係合を解除することが可能である。このため、係止ピン５７への係止孔１２２の係合が、容易に解除される。したがって、洗浄具本体１０が、先端構成部２３から容易に取外される。
【００８５】
また、本変形例では、カバー５が装着された状態で先端構成部２３を挿入口８１から収納部１２に挿入すると、カバー５の先端部が、延設片１２１の端面１２３に当接し、延設片１２１に干渉する。これにより、端面１２３から先端構成部２３及びカバー５が開口窓８２側（先端側）へ移動することが、規制される。収納部１２において延設片１２１の端面１２３より開口窓８２側へカバー５及び先端構成部２３が移動不可能であるため、カバー５が装着された先端構成部２３は、収納部１２において前述の所定の位置に移動不可能となる。すなわち、本変形例では、延設片１２１が規制部として機能し、延設片１２１は、カバー５と干渉することにより、カバー５が装着された先端構成部２３の所定の位置への移動を規制する。
【００８６】
また、図１９Ａ乃至図２０に示す第６の変形例では、第３の変形例と同様の構成に加えて、洗浄具本体１０の内周面８０に、外周側に凹む溝１２６が形成される。溝１２６は、回動軸Ｐに沿う方向について挿入口８１から開口窓８２まで連続して延設される。また、溝１２６は、中心軸Ｐの軸回りについて、流入口８５Ａ，８５Ｂに対して略９０°離れた角度に位置する。本変形例では、洗浄具本体１０は、回動片１２７Ａ，１２７Ｂを備える。回動片１２７Ａ，１２７Ｂは、中心軸Ｐに略平行で、かつ、溝１２６を通る回動軸を中心として、互いに対して回動可能である。回動片１２７Ａ，１２７Ｂが前述の回動軸を中心として回動することにより、回動片１２７Ａ，１２７Ｂの間が開く又は閉じる。したがって、本変形例では、洗浄具本体１０は、回動片１２７Ａ，１２７Ｂの間が開閉可能なヒンジ構造となる。
【００８７】
また、回動片１２７Ａには、係合突起１２８Ａが設けられ、回動片１２７Ｂには、係合凹部１２８Ｂが設けられる。回動片１２７Ａ，１２７Ｂの間が閉じ、かつ、係合突起１２８Ａが係合凹部１２８Ｂと係合することにより、洗浄具本体１０は、内部に収納部１２が形成される筒状となる。また、係合突起１２８Ａが係合凹部１２８Ｂと係合した状態では、溝１２６を通る前述の回動軸を中心とする回動片１２７Ａ，１２７Ｂの回動が規制される。係合突起１２８Ａ及び係合凹部１２８Ｂは、中心軸Ｐの軸回りについて、流入口８５Ａ，８５Ｂに対して略９０°離れた角度で、かつ、溝１２６から略１８０°離れた角度に、位置する。なお、図１９Ａは、洗浄具本体１０の中心軸Ｐに略平行な断面で示す。また、図１９Ｂ及び図２０は、洗浄具本体１０を挿入口８１側から視た図である。図１９Ｂは、回動片１２７Ａ，１２７Ｂの間が閉じ、かつ、係合突起１２８Ａが係合凹部１２８Ｂと係合する状態を示し、図２０は、回動片１２７Ａ，１２７Ｂの間が開いた状態を示す。
【００８８】
本変形例では、挿入口８１から収納部１２に先端構成部２３を挿入可能であるとともに、回動片１２７Ａ，１２７Ｂの間を開くことにより、中心軸Ｐに対して交差する方向からも、収納部１２に先端構成部２３を挿入することが可能となる。そして、第３の変形例と同様に、規制内周面１０６及び突出部１１１が位置決め部として機能し、規制内周面１０６及び突出部１１１によって、流体が供給される所定の位置に先端構成部２３が位置する状態に、洗浄具本体１０の内部での先端構成部２３の位置が規定される。そして、前述の所定の位置に先端構成部２３が位置する状態で、回動片１２７Ａ，１２７Ｂの間を閉じ、係合突起１２８Ａを係合凹部１２８Ｂと係合する。そして、回動片１２７Ａ，１２７Ｂの間が閉じ、かつ、係合突起１２８Ａが係合凹部１２８Ｂと係合した状態で、前述したように先端構成部２３を洗浄する。
【００８９】
また、本変形例でも第３の変形例と同様に、カバー５が装着された状態で先端構成部２３を挿入口８１から収納部１２に挿入すると、段差面１１２がカバー５と干渉することにより、カバー５が装着された先端構成部２３の所定の位置への移動を規制する。そして、本変形例では、回動片１２７Ａ，１２７Ｂの間が開いた状態において、カバー５が装着された先端構成部２３を中心軸Ｐに対して交差する方向から収納部１２に挿入すると、回動片１２７Ａ，１２７Ｂの閉動作が規制される。このため、回動片１２７Ａ，１２７Ｂの間が閉じず、係合突起１２８Ａが係合凹部１２８Ｂと係合不可能になる。これにより、洗浄具本体１０は、筒状にならず、カバー５が装着された先端構成部２３の所定の位置への移動が、規制される。したがって、本変形例では、回動片１２７Ａ，１２７Ｂも、規制部として機能し、回動片１２７Ａ，１２７Ｂは、カバー５と干渉することにより、カバー５が装着された先端構成部２３の所定の位置への移動を規制する。
【００９０】
なお、第６の変形例をさらに変形したある変形例として、回動片１２７Ａ，１２７Ｂの間が開いた状態において、中心軸Ｐに対して交差する方向からのみ収納部１２に先端構成部２３を挿入することが可能な構成であってもよい。この構成の場合、回動片１２７Ａ，１２７Ｂの間が閉じていても、挿入口８１から収納部１２に、中心軸Ｐに沿う方向に先端構成部２３を挿入することはできない構造となっている。また、回動片１２７Ａ，１２７Ｂの間が開閉する第６の変形例の構成は、第１の実施形態等の第３の変形例以外の実施例と組み合わせてもよい。
【００９１】
また、図２１に示す第７の変形例では、洗浄器具２の供給部１１は、シリンジ１８Ａ，１８Ｂの代わりに、ポンプ１３５Ａ，１３５Ｂを備える。本変形例では、ポンプ１３５Ａを駆動することにより、供給チューブ１５Ａを通して流入口８５Ａに洗浄液等の液体が供給される。そして、ポンプ１３５Ｂを駆動することにより、供給チューブ１５Ｂを通して流入口８５Ｂに洗浄液等の液体が供給される。
【００９２】
また、図示しないある変形例では、供給部１１に、シリンジ（１８Ａ）が１つのみ設けられるか、又は、ポンプ（１３５Ａ）が１つのみ設けられる構成であってもよい。この場合も、前述の実施形態等と同様に、洗浄具本体１０に２つの流入口８５Ａ，８５Ｂが設けられる。この場合、シリンジ（１８Ａ）の下流又はポンプ（１３５Ａ）の下流において供給路が２つに分岐する。そして、分岐した供給路の一方が流入口８５Ａと連通し、分岐した供給路の他方が流入口８５Ｂと連通する。
【００９３】
また、図示しないある変形例では、３つ以上の流入口（例えば８５Ａ〜８５Ｃ）が洗浄具本体１０に設けられてもよい。この場合も前述の実施形態等と同様に、先端構成部２３が収納部１２において前述の所定の位置に位置する状態において、複数の流入口の少なくとも１つ（例えば８５Ａ）は、揺動台４３の第１の面５１に流体を供給し、他の流入口の少なくとも１つ（例えば８５Ｂ）は、揺動台４３の第２の面５２に流体を供給することが、好ましい。
【００９４】
また、ある変形例では、第６の変形例のように回動片１２７Ａ，１２７Ｂの間が開閉するとともに、供給路が複数に分岐した後に、分岐した供給路のそれぞれが複数の流入口（例えば８５Ａ，８５Ｂ）の各々に連通する。本変形例の構成では、複数の流入口（８５Ａ，８５Ｂ）は、溝１２６を挟んで両側に設けられないことが好ましい。すなわち、全ての流入口（８５Ａ，８５Ｂ）が、回動片１２７Ａ，１２７Ｂの一方のみに形成されることが好ましい。これにより、係合突起１２５Ａと係合凹部１２８Ｂとの係合作業が、流入口（８５Ａ，８５Ｂ）への供給路によって阻害され難くなる。
【００９５】
また、前述の実施形態等では、洗浄具本体１０は、略円筒状に形成されるが、内部に収納部１２が形成される筒状であれば、洗浄具本体１０は、略四角筒状、略三角筒状等の略多角形筒状に形成されてもよい。また、ある変形例では、洗浄具本体１０の外表面に多数の開口窓（８２）が形成されてもよい。
【００９６】
また、図２２Ａ及び図２２Ｂに示す第８の変形例では、洗浄器具２の供給部１１において、供給チューブ１５Ａに、治具１３０が取外し可能に取付けられる。ここで、治具１３０は、例えば、カバー５を先端構成部２３から取外す際に用いられる前述の治具である。治具１３０を形成する材料としては、これらに限定されないが、ポリカーボネート、変性ＰＰＥ樹脂、ガラスを含有するポリサルフォン、ポリフェニルスルフォン及びステンレス等が挙げられる。なお、治具１３０は、例えば、供給チューブ１５Ｂに取付けられてもよく、洗浄器具２のいずれかの部位に取付けられていればよい。
【００９７】
治具１３０には、カバー５が装着された先端構成部２３が挿入される空洞１３１が、形成される。また、治具１３０には、供給チューブ１５Ａ（又は１５Ｂ）と係合する、係合溝１３２が形成される。係合溝１３２が供給チューブ１５Ａと係合することにより、治具１３０が供給チューブ１５Ａに取付けられる。
【００９８】
カバー５を先端構成部２３から取外す際には、カバー５が装着された先端構成部２３を先端側から治具１３０の空洞１３１に挿入する（図２２Ｂの矢印Ｔ１）。そして、長手軸Ｃ（治具１３０の中心軸）の軸回りについて一方側へ、治具１３０を先端構成部２３及びカバー５に対して回転する。これにより、前述したようにカバー５の脆弱部７８を破断し、スリット７７Ａ，７７Ｂが連続する。そして、係止ピン５７の係止孔７５との係合が解除される。係止ピン５７の係止孔７５との係合が解除された状態で、先端構成部２３を空洞１３１から抜去することにより、ガイド溝５５においてガイド突起７４が先端側へ移動する。これにより、先端構成部２３に対してカバー５が先端側へ移動し、カバー５が先端構成部２３から取外される。
【００９９】
本変形例では、治具１３０が洗浄器具２に取付けられるため、カバー５の先端構成部２３からの取外し、及び、カバー５が取り外された先端構成部２３への洗浄具本体１０の装着を迅速かつ容易に行える。例えば、カバー５の先端構成部２３からの取外しに用いられる治具１３０を探す手間が、低減される。
【０１００】
また、前述した実施形態等では、内視鏡３は、挿入部２０の長手軸Ｃに対して交差する方向が撮像素子の観察方向となる側視型又は斜視型であるが、これに限るものではない。ある変形例では、挿入部２０の長手軸Ｃに沿った方向が撮像素子の観察方向となる直視型の内視鏡に、前述の構成が適用されてもよい。
【０１０１】
前述の実施形態等では、洗浄器具（２）の洗浄具本体（１０）は、内視鏡（３）の挿入部（２０）の先端構成部（２３）にカバー（５）に代えて装着され、洗浄具本体（１０）が先端構成部（２３）に装着された状態では、先端構成部（２３）が洗浄具本体（１０）の内部に収納される。また、洗浄器具（２）は、洗浄具本体（１０）の内部に流体を供給する供給部（１１）を備える。また、先端構成部（２３）への洗浄具本体（１０）の装着では、流体が供給される所定の位置に位置する状態に、洗浄具本体（１０）の内部での先端構成部（２３）の位置が、位置決め部（８７；８８Ａ，８８Ｂ，１００；１０６；１１１；１２２）によって規定される。そして、カバー（５）が装着された先端構成部（２３）が洗浄具本体（１０）の内部に挿入されると、規制部（８７，８８Ａ，８８Ｂ；８８Ａ，８８Ｂ，１００；１１２；１２１；１２７Ａ，１２７Ｂ）は、カバー（５）と干渉し、カバー（５）が装着された先端構成部（２３）の、所定の位置への移動を規制する。
【０１０２】
このような構成を満たすものであれば、先端構成部２３の構成及びカバー５の構成は前述の実施形態等に限定されるものではない。また、先端構成部２３へカバー５を装着する構成も前述の実施形態等に限定されるものではない。
【０１０３】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。
【図１】
2018037727.tif 000003
【図２】
2018037727.tif 000004
【図３Ａ】
2018037727.tif 000005
【図３Ｂ】
2018037727.tif 000006
【図３Ｃ】
2018037727.tif 000007
【図３Ｄ】
2018037727.tif 000008
【図４Ａ】
2018037727.tif 000009
【図４Ｂ】
2018037727.tif 000010
【図４Ｃ】
2018037727.tif 000011
【図５Ａ】
2018037727.tif 000012
【図５Ｂ】
2018037727.tif 000013
【図６】
2018037727.tif 000014
【図７Ａ】
2018037727.tif 000015
【図７Ｂ】
2018037727.tif 000016
【図８】
2018037727.tif 000017
【図９Ａ】
2018037727.tif 000018
【図９Ｂ】
2018037727.tif 000019
【図１０Ａ】
2018037727.tif 000020
【図１０Ｂ】
2018037727.tif 000021
【図１１Ａ】
2018037727.tif 000022
【図１１Ｂ】
2018037727.tif 000023
【図１２Ａ】
2018037727.tif 000024
【図１２Ｂ】
2018037727.tif 000025
【図１３Ａ】
2018037727.tif 000026
【図１３Ｂ】
2018037727.tif 000027
【図１４Ａ】
2018037727.tif 000028
【図１４Ｂ】
2018037727.tif 000029
【図１５Ａ】
2018037727.tif 000030
【図１５Ｂ】
2018037727.tif 000031
【図１６Ａ】
2018037727.tif 000032
【図１６Ｂ】
2018037727.tif 000033
【図１７Ａ】
2018037727.tif 000034
【図１７Ｂ】
2018037727.tif 000035
【図１８Ａ】
2018037727.tif 000036
【図１８Ｂ】
2018037727.tif 000037
【図１９Ａ】
2018037727.tif 000038
【図１９Ｂ】
2018037727.tif 000039
【図２０】
2018037727.tif 000040
【図２１】
2018037727.tif 000041
【図２２Ａ】
2018037727.tif 000042
【図２２Ｂ】
2018037727.tif 000043
【手続補正書】
【提出日】平成30年4月25日(2018.4.25)
【手続補正１】
【補正対象書類名】特許請求の範囲
【補正対象項目名】全文
【補正方法】変更
【補正の内容】
【特許請求の範囲】
【請求項１】
内視鏡の挿入部の先端構成部に対して、前記先端構成部に装着されるカバーに代えて装着され、前記先端構成部に装着された状態において前記先端構成部を内部に収納する洗浄具本体と、
前記洗浄具本体の前記内部に流体を供給する供給部と、
を具備する洗浄器具。
【請求項２】
前記先端構成部への前記洗浄具本体の装着において、前記流体が供給される所定の位置に前記先端構成部を前記洗浄具本体に対して位置決めする位置決め部をさらに具備する、請求項１の洗浄器具。
【請求項３】
前記位置決め部は、前記カバーが前記先端構成部に装着された状態において前記カバーと係合する内視鏡係合部に対して係合する器具係合部を備える、請求項２の洗浄器具。
【請求項４】
前記位置決め部は、前記挿入部の長手軸に沿う方向及び前記長手軸を中心とする軸回り方向の少なくとも一方について、前記洗浄具本体を前記先端構成部に対して位置決めする、請求項２の洗浄器具。
【請求項５】
前記位置決め部は、前記洗浄具本体の前記内部において内周側へ突出するとともに、前記先端構成部が係合することにより、前記洗浄具本体の前記先端構成部に対する前記長手軸を中心とする前記軸回り方向についての回転を規制する突起を備える、請求項４の洗浄器具。
【請求項６】
前記カバーが装着された前記先端構成部が前記洗浄具本体に挿入されるとき、前記カバーと干渉し、前記カバーが装着された前記先端構成部の、前記所定の位置への移動を規制する規制部をさらに具備する、請求項２の洗浄器具。
【請求項７】
前記位置決め部の少なくとも一部は、前記規制部となる、請求項６の洗浄器具。
【請求項８】
前記カバーが装着された前記先端構成部が前記洗浄具本体に挿入されるとき、前記カバーと干渉し、前記カバーが装着された前記先端構成部の、前記流体が供給される所定の位置への移動を規制する規制部をさらに具備する、請求項１の洗浄器具。
【請求項９】
請求項１の洗浄器具と、
前記挿入部を備えるとともに、前記挿入部は前記先端構成部を備え、前記先端構成部には前記カバーに代えて前記洗浄器具の前記洗浄具本体が装着される前記内視鏡と、
を具備する内視鏡システム。
【請求項１０】
前記洗浄具本体が前記先端構成部から取外された状態において前記先端構成部に取付けられる前記カバーをさらに具備する、請求項９の内視鏡システム。
【請求項１１】
前記カバーは、前記挿入部が管路に挿入されることによって前記内視鏡が使用されるごとに交換される、請求項１０の内視鏡システム。
【請求項１２】
前記洗浄器具は、前記先端構成部への前記洗浄具本体の装着において、前記流体が供給される所定の位置に前記先端構成部を前記洗浄具本体に対して位置決めする位置決め部を備え、
前記先端構成部は、前記カバーが前記先端構成部に装着された状態において前記カバーと係合する内視鏡係合部を備え、
前記位置決め部は、前記内視鏡係合部に対して係合する器具係合部を備える、
請求項１０の内視鏡システム。
【請求項１３】
前記カバーは、前記洗浄具本体の前記位置決め部の前記器具係合部の代わりに前記内視鏡係合部に係合するカバー係合部を備える、請求項１２の内視鏡システム。
【請求項１４】
前記先端構成部は、所定の回動軸を中心として回動することにより起上するとともに、起上に対応して、前記挿入部の内部に挿通された状態で前記挿入部の外部へ突出する処置具の向きを変化させる揺動台を備え、
前記揺動台は、前記処置具に接触する第１の面と、前記第１の面とは反対側を向く第２の面と、を備え、
前記供給部は、前記供給部から前記洗浄具本体の前記内部に前記流体を流入させるとともに、前記洗浄具本体の前記内部において前記流体が供給される所定の位置に位置する前記先端構成部に前記流体を供給する複数の流入口を有し、
前記複数の流入口の少なくとも１つは、前記所定の位置に位置する前記先端構成部において、前記揺動台の前記第２の面に前記流体を供給する、
請求項９の内視鏡システム。
【手続補正２】
【補正対象書類名】明細書
【補正対象項目名】０００５
【補正方法】変更
【補正の内容】
【０００５】
前記目的を達成するために、本発明のある態様の洗浄器具は、内視鏡の挿入部の先端構成部に対して、前記先端構成部に装着されるカバーに代えて装着され、前記先端構成部に装着された状態において前記先端構成部を内部に収納する洗浄具本体と、前記洗浄具本体の前記内部に流体を供給する供給部と、を備える。
【国際調査報告】
2018037727.tif 000044
2018037727.tif 000045